(57)【要約】      （修正有）【課題】カメラ本体のサイズアップを押さえつつ、外部コネクタ部の外装表面温度上昇を抑制する撮像装置を提供する。【解決手段】外部機器との接続を行うためのコネクタ部を有し、前記コネクタ部を覆い、開閉可能な蓋体を有する撮像装置において、前記蓋体の外装面にあって、前記コネクタ部の接続方向投影部分に、凸部を設けた。【選択図】図２
2014235205.tif 000002
【特許請求の範囲】
【請求項１】
外部機器との接続を行うためのコネクタ部（７ｂ）を有し、前記コネクタ部（７ｂ）を覆い、開閉可能な蓋体（５）を有する撮像装置において、前記蓋体（５）の前記コネクタ（７ｂ）と対向する面の反対面（５ａ１）に複数の凸凹部を設けたことを特徴とする撮像装置。
【請求項２】
前記蓋体（５）の外装面（５ａ１）にあって、前記コネクタ部（７ｂ）の接続方向投影部分に、凸部（５ａ）を設けたことを特徴とする請求項１に記載の撮像装置。
【請求項３】
前記蓋体（５）の凸部（５ａ）近傍の凹部（２１ｂ）に通気口（２１ｃ）を設けたことを特徴とする請求項１又は請求項２に記載の撮像装置。
【請求項４】
前記凸部（５ａ）の先端（５ａ２）は根元（５ａ１）より断面積を小さくする、または曲面もしくは球面にしたことを特徴とする請求項１乃至請求項３の何れか１項に記載の撮像装置。
【請求項５】
レンズ光軸方向が水平になるように置かれた撮像装置において、前記蓋体（５）の前記通気口（１１ａ）よりも高い位置に内部の気体を排出する排気口（４ｂ）を設けたことを特徴とする請求項１乃至請求項４の何れか１項に記載の撮像装置。
【発明の詳細な説明】
【技術分野】
【０００１】
本発明は、外部機器との接続を行うためのコネクタ部を有するデジタルカメラに関し、そのコネクタ部を覆うように開閉する蓋部を有するデジタルカメラに関するものである。
【背景技術】
【０００２】
近年、デジタルカメラの高機能化に伴い内部の発熱が問題となってきている。例えば、長時間の動画撮影時など、時間の経過とともにカメラ内部の温度が上昇する傾向にあり、特にカメラ外部へ信号等を出力する外部コネクタが電子回路部品を実装している基板に実装されている場合は、外部コネクタへ前期電子回路部品の熱が伝わり高温になりやすく、外部コネクタは外装部表面近くに配置されるため、前記外部コネクタを非使用時に覆うために開閉自在に設けられたコネクタカバーも高温になりやすい。ユーザーが触れられる外装表面が高温になるのは望ましくない。
【０００３】
図６、図７を用いて従来例について説明する。
【０００４】
図６はカメラ本体の図である。（ａ）はコネクタカバーの閉じ状態の図で、コネクタカバー側から見た斜視図を示している。（ｂ）はコネクタカバーの開き状態の図、（ｃ）は基板実装図である。
【０００５】
３１はカメラ本体を示し、２はレンズ部、３ａはシャッターボタン、３ｂはモードダイヤルである。３４は外装カバーで、３５はコネクタカバーである。３４ａは凹部で、コネクタカバー３５を開閉するためにユーザーの爪が入るようにした外装カバー３４に設けられている。
【０００６】
６はコネクタカバー３５を開くと露出するコネクタベース部材であり、カメラ内部が露出しないように壁を形成している。７ａ、７ｂは外部コネクタで、専用ケーブルを接続することによって外部機器との通信を行うためのコネクタ部である。
【０００７】
８はカメラ内部の実装基板で、９は前記実装基板8に実装された画像処理等を行うＩＣチップである。特に動画撮影時にはＩＣチップ９は発熱を伴って動作しており、長時間動画撮影が続いた場合など、基板８が高温になる傾向にある。前記外部コネクタ７ａ、７ｂは実装基板８に実装されており、実装基板８が高温になると熱が伝わり、外部コネクタ７ａ、７ｂもまた高温の状態になる。
【０００８】
図７はコネクタカバーの図であり、（ａ）はカメラ本体正面図であり、（ｂ）Ａ−Ａ断面図であり、外部コネクタ部の断面を示している。
【０００９】
３５ａはコネクタカバー３５の高温になる部分を示している。ユーザーが触れられる外観部なので、高温にならないことが望ましい。
【００１０】
また、特許文献１のように外装部に放熱穴を設けることで、若干の放熱効果は期待できるものの、穴を開けただけでは十分な空気の流れを起こせない為、十分な温度低減が望めない。
【先行技術文献】
【特許文献】
【００１１】
【特許文献１】特開平６−８６１２５号公報
【発明の概要】
【発明が解決しようとする課題】
【００１２】
コネクタカバーの温度が高くならないようにするためには、コネクタカバーと外部コネクタとの距離を設ければ良いが、その分カメラ本体サイズが大きくなってしまう。
【００１３】
カメラ本体のサイズアップを抑えつつ、カメラ本体の外装表面の温度上昇を抑制した撮像装置を提案する。
【課題を解決するための手段】
【００１４】
上記目的を達成するために本発明では、外部機器との接続を行うためのコネクタ部を有し前記コネクタ部を覆い開閉可能な蓋体を有するデジタルカメラにおいて、前記蓋体の外装面にあって、前記コネクタ部の接続方向投影部分に、凸部を設けたことを特徴とする。
【発明の効果】
【００１５】
本発明によれば、カメラ本体のサイズアップを抑えつつ、外部コネクタ部の外装表面温度上昇を抑制することが可能である。
【図面の簡単な説明】
【００１６】
【図１】コネクタカバーの断面図（ａ）Ｂ−Ｂ断面図（ｂ）Ｃ−Ｃ断面図
【図２】カメラ本体の図（ａ）カメラ本体の正面図（ｂ）コネクタカバー側の側面図
【図３】カメラ本体の図（第２の実施例）（ａ）コネクタカバー側の側面図（ｂ）Ｄ−Ｄ断面図
【図４】コネクタカバーの図（第３の実施例）（ａ）はコネクタカバー側の側面図（ｂ）はＥ−Ｅ断面図
【図５】コネクタカバーの凸部の実施例を示した図（第４の実施例）（ａ）略球形状による凸部を有するコネクタカバーの図（ｂ）リング状の凸部を有するコネクタカバーの図（ｃ）文字形状による凸部を有するコネクタカバーの図
【図６】カメラ本体の図（従来例）（ａ）コネクタカバーの閉じ状態の図（ｂ）コネクタカバーの開き状態の図（ｃ）基板実装図
【図７】コネクタカバーの図（従来例）（ａ）カメラ本体正面図（ｂ）Ａ−Ａ断面図
【発明を実施するための形態】
【００１７】
以下に、本発明の好ましい実施の形態を、添付の図面に基づいて詳細に説明する。図１は、本発明の実施形態に関わるコネクタカバーの断面図である。
【００１８】
［実施例１］
以下、図２、図１を参照して、本発明の第1の実施例による撮像装置について説明する。
【００１９】
図２はカメラ本体の図であり、（ａ）はカメラ本体の正面図、（ｂ）はコネクタカバー側の側面図である。図１はコネクタカバーの断面図であり、図１（ａ）は図２（ｂ）に記載のＢ−Ｂ断面図であり、図１（ｂ）は図２（ｂ）に記載のＣ−Ｃ断面図である。１はカメラ本体であり、２はレンズ部、３ａはシャッターボタン、３ｂはモードダイヤルである。４は外装カバーで、５はコネクタカバーである。７ａ、７ｂは外部コネクタで、コネクタカバー５の裏面にあり、図２（ｂ）では破線で示してある。Ｂ−Ｂ断面は外部コネクタ７ｂ部の断面で、Ｃ−Ｃ断面は外部コネクタ７ａと７ｂの中間部の断面図である。
【００２０】
４ａは外装カバー４に設けられた凹部であり、ユーザーはこの凹部４ａに爪を引っ掛けてコネクタカバー５を開けることが可能である。コネクタカバー５を開けた状態は、図６（ｂ）に示している。
【００２１】
５ａはコネクタカバー５の外観側表面に設けられたリブ状の凸部である。５ａ２は凸部５ａの先端部を示し、５ａ１は凸部５ａの根元である表面部を示している。凸部５ａは表面部５ａ１から先端部５ａ２にかけて徐々に細くなっている。
【００２２】
５ｂ１は外部コネクタ７ｂの熱がコネクタカバー５に伝わりにくくするための空間であり、同様に外部コネクタ７ａの前にも空間５ｂ２が設けられている（不図示）。６はカメラ本体内部が露出しないように壁を形成するためのコネクタベース部材である。前述したように動画撮影など長時間の動作が行われた際には、高温になった基板８の熱が外部コネクタ７ａ、７ｂに伝わり、更に空間５ｂやコネクタベース部材６を介して、コネクタカバー５に熱が伝わり、表面部５ａ１が高温になる。しかし、凸部５ａの先端部５ａ２が細くなっており、先端部５ａ２の角はＲ形状にし、ユーザーが触れる面積を少なくすることで、ユーザーに伝わる熱量を低減することができる。
【００２３】
また、凸部５を複数設けることで、先端部５ａ２までに凸部５の側面など表面積を多く取れるため、放熱効果を高めることができ、より先端部５ａ２の温度上昇を抑制することが可能となる。コネクタカバー５の肉厚を単純に増して全体的に大きくするより、上記の構造を取ることで、カメラ本体の大型化を抑えると共に放熱効果の高い構造を実現している。
【００２４】
５ｃは通気口であり、外部コネクタ７ａ、７ｂ前の空間５ｂ１、５ｂ２と通じており、空間５ｂ１や５ｂ２に籠った高温の空気を外へ逃がすための通路を形成している。また、通気口５ｃを凸部５ａの根元に設けることで、ユーザーがカメラ本体１を保持した際に、通気口５ｃ塞いで放熱を妨げることが無い構造となっている。また、通気口５ｃ位置は、外部コネクタ７ａ、７ｂと異なる位置に設けて、見栄えやゴミの浸入に対して考慮している。
【００２５】
［実施例２］
以下、図３を参照して、本発明の第２の実施例による撮像装置について説明する。
本実施例では明確な吸気口と排気口を設け、積極的に放熱経路を形成した構造例について説明する。
【００２６】
図３はカメラ本体の図であり、（ａ）はコネクタカバー側の側面図であり、（ｂ）はＤ−Ｄ断面であり、放熱経路を説明した図である。
【００２７】
動画撮影時では通常、シャッターボタン３ａ側が上面になるような正位置でカメラ本体は使用するため、カメラ内部の温まった空気はカメラ本体の上面方向へと移動するという対流が発生する。この対流を活用することによってカメラ本体内部の熱を外部へ放熱することが可能である。放熱経路を示す為に、放熱方向を矢印１２ａ〜１２ｅによって示す。図３（ｂ）に記す４ｂは外装カバー４に設けられた穴部である。
【００２８】
本実施例の放熱経路としては主に３つの経路がある。１つ目の経路は、１２ｄ→１２ｃの経路で、熱源であるＩＣチップ９を発熱源として発生した熱が基板８を熱し、その周辺の空気が上方へ移動し、穴部４ｂから外気へ排気及び放熱される。
【００２９】
２つ目の経路は、１２ａ→５ｄ→１２ｂである。１１はコネクタカバーであり、１１ａは吸気口で、１１ｂは排気口であり、コネクタカバー１１の切り欠き部とコネクタベース部材６、外装カバー４によって形成されている。実施例１と同様に外部コネクタ７ａ、７ｂの前には空間が設けられ、図３（ｂ）中に記載する空間５ｄで示すようにそれぞれがつながっており、その空間５ｄは吸気口１１ａと排気口１１ｂとつながっている。
【００３０】
動画撮影中には外部コネクタ７ａ、７ｂが高温になり、空間５ｄの熱せられた気体は上方に移動するので、移動した空気を補うためカメラ外部の空気（以下、外気と記す）が吸気口１１ａから吸気され空間５ｄを通って、排気口１１ｂから排気および放熱されるという対流が発生する。その際、吸気口１１ａから空間５ｄより低い温度の外気が吸気されるため、外部コネクタ７ａ、７ｂやコネクタカバー１１を冷却することが可能となっている。
【００３１】
３つ目の経路は、１２ａ→１２ｅ→１２ｃである。吸気口１１ａから吸気された空気が外部コネクタ７ａ、７ｂとコネクタベース部材６との隙間を通って、カメラ本体内部に入り、基板８が発熱することで生じる気流１２ｅに沿って上昇し、外装カバー４の排気口４ｂから排気および放熱される。これは、カメラ内部の気流１２ｅによって、吸気口１１ａから吸気された気体がカメラ本体内部へ引き込まれる気流が発生するためである。
【００３２】
［実施例３］
以下、図４を参照して、本発明の第３の実施例による撮像装置について説明する。本実施例では、コネクタカバーの凸部の根元に凹部を設けて、より放熱効果を高めた構造例について説明する。
【００３３】
図４はカメラ本体の図であり、（ａ）はコネクタカバー側の側面図であり、（ｂ）はＥ−Ｅ断面図で、外部コネクタ７ｂ部の断面図である。２１はコネクタカバーで、２１ａはリブ形状をした凸部であり、複数設けることでユーザーが凸部根元に触れられないようにしている。２１ｂは凹部であり、凸部２１ａの根元で、外部コネクタ７ａ、７ｂの近傍に配置されている。２１ｂ１は凹部２１ｂの表面部を示しており、凹部を設けなかった場合の表面より、外部コネクタ７ａ、７ｂの近傍にある為、高温になるが、外気との温度差が大きくなることで外気へ伝わる熱移動量が向上し、全体としての放熱効果が高まる。
【００３４】
つまり本実施例では凸部２１ａの根元付近に凹部２１ｂを設けることで、表面２１ｂ１はユーザーに触れることはないため、ユーザーが触れられる部分の温度上昇を抑制しつつ、放熱効果を高めていると言える。更に、本実施例では凹部２１ｂに穴部２１ｃを設けることで、より放熱効果を高めている。また穴部２１ｂは外部コネクタ７ａ、７ｂの近傍であるが、外部から外部コネクタ７ａ、７ｂが見えない位置に設けられている。
【００３５】
なお、ジャックカバー２１の凸部２１ａは略長方形のリブ形状で記載しているが、本発明はこれに限定されることはなく、図５のようにしてもよい。
【００３６】
図５はコネクタカバーの凸部の実施例を示した図である。（ａ）は略球形状による凸部を有するコネクタカバー２５の図である。２５ａは略球形状の凸部で、２５ｂは凹部である。（ｂ）はリング状の凸部を有するコネクタカバー２６の図である。２６ａはリング状の凸部である。（ｃ）は文字形状による凸部を有するコネクタカバー２７の図である。２７ａは文字形状の凸部であり、２７ｂは穴部であり、文字形状の凸部を形成する壁面で囲まれる部分の一部を利用して形成している。
【００３７】
また、その他、三角錐、四角錐、円柱、四角柱などのその他の凸形状で実施してもよいことは言うまでもない。
【符号の説明】
【００３８】
１‥‥‥カメラ本体
２‥‥‥レンズ部
３ａ‥‥‥シャッターボタン
４‥‥‥外装カバー
５‥‥‥コネクタカバー
５ａ‥‥‥凸部
５ｃ‥‥‥通気口
６‥‥‥コネクタベース部材
７ａ、７ｂ‥‥‥外装コネクタ
８‥‥‥基板
【図１】
2014235205.tif 000003
【図２】
2014235205.tif 000004
【図３】
2014235205.tif 000005
【図４】
2014235205.tif 000006
【図５】
2014235205.tif 000007
【図６】
2014235205.tif 000008
【図７】
2014235205.tif 000009